(57)【特許請求の範囲】
【請求項１】
連結される天板のうちの一方の下面に取り付けられる天板接合具を構成する第１の接合具と他方の下面に取り付けられる第２の接合具とからなり、上記第１の接合具は、天板固定面に取付く辺部と、これに連続する垂直辺部を有して構成され、
上記第２の接合具は、他方の天板の下面に取り付けられ該天板固定面に取付く第１辺部と、これと直行する垂直な第２辺部と、上記第１辺部に平行な第３辺部と、を有して略Ｚ字状に形成され、
上記第２の接合具の第３辺部を挟み込み回動することで上下移動可能な挟持部を有する上下調整ボルトと、該上下調整ボルトの上端は、上記第１の接合具の天板固定面に取り付く辺部と係合可能で、上記第１及び第２の接合具の対向する垂直片の略中央部に開設されたボルト挿通孔に挿通され、両接合具同士を連結する連結ボルトで接合可能に構成されるとともに、
上記上下調整ボルトのネジ部の上端部の外周を全周に渡り凹状の挟持構造とし、前記天板固定面に取付く辺部に凹状の切り欠き部を設け、該凹状の切り欠き部とその周辺を下方に膨出させた被挟持構造とし、該凹状の挟持構造と被挟持構造とが係合及び取り外し自在とすることで上記上下調整ボルトは、第１の接合具の天板固定面に取り付く辺部に着脱自在に取付け可能であることを特徴とする天板の接合構造。
【請求項２】
前記第１の接合具の連結ボルト挿通部より下方に前記第１の接合具と前記第２の接合具の間隙を規制する滑らかな凸状の規制手段を設けるとともに、前記第３辺部の先端部に、一対の山型のガイド片と、該一対の山型のガイド片の間に被挟持部を設けたことを特徴とする請求項１に記載の天板の接合構造。
【発明の詳細な説明】
【技術分野】
【０００１】
この発明は、２枚の天板を平面方向に接合する接合構造に係り、特に、家具、カウンター、テーブル等の天板であって、天板が長尺であったり、Ｌ字状或いはコ字状の直交した形状である場合、２枚の天板を平面方向に接合して一体化したときに、これら天板上面の段差を有効に防止することができる天板の接合構造に関する。
【背景技術】
【０００２】
従来のこの種の接合構造としては、例えば、特許文献１に示すものが知られている。この従来の接合構造は、２枚の天板の裏面にそれぞれ接合金具をビスや溶接などの手段で固着し、この固着された接合金具を互いにボルトナットで締め付けて接合金具を水平方向及び垂直方向に相対的に移動させることにより、接合される２枚の天板の水平出しと接合間隔の消失とを行っていた。
【先行技術文献】
【特許文献】
【０００３】
【特許文献１】実公平３−５０７６７号公報
【発明の概要】
【発明が解決しようとする課題】
【０００４】
しかしながら、この従来の天板の接合構造にあっては、縦横の締め付けボルトを相通する孔を互いに整合させつつ、第１、第２の２つの接合金具を天板に固着する必要があるため、接合金具の取り付けが非常に煩雑であり、特に、天板がキャビネットの天板である場合には、２枚の天板の段差や間隙が発生しないように調整するのが難しく、手間がかかるという問題を有していた。
【０００５】
この発明は、かかる現状に鑑み創案されたものであって、その目的とするところは、家具、カウンター、テーブル等の天板であって、天板が長尺であったり、平面視でＬ字状或いはコ字状の直交した形状である場合、２枚の天板を平面方向に接合して容易に一体化することができ、段差を解消し、しかも、これら天板上面の開きを有効に防止することができる天板の接合構造を提供しようとするものである。
【課題を解決するための手段】
【０００６】
上記目的を達成するため、この請求項１に記載の天板の接合構造にあっては、連結される天板のうちの一方の下面に取り付けられる天板接合具を構成する第１の接合具と他方の下面に取り付けられる第２の接合具とからなり、上記第１の接合具は、天板固定面に取付く辺部と、これに連続する垂直辺部を有して構成され、
上記第２の接合具は、他方の天板の下面に取り付けられ該天板固定面に取付く第１辺部と、これと直行する垂直な第２辺部と、上記第１辺部に平行な第３辺部と、を有して略Ｚ字状に形成され、上記第２の接合具の第３辺部を挟み込み回動することで上下移動可能な挟持部を有する上下調整ボルトと、該上下調整ボルトの上端は、上記第１の接合具の天板固定面に取り付く辺部と係合可能で、上記第１及び第２の接合具の対向する垂直片の略中央部に開設されたボルト挿通孔に挿通され、両接合具同士を連結する連結ボルトで接合可能に構成されるとともに、上記上下調整ボルトのネジ部の上端部の外周を全周に渡り凹状の挟持構造とし、前記天板固定面に取付く辺部に凹状の切り欠き部を設け、該凹状の切り欠き部とその周辺を下方に膨出させた被挟持構造とし、該凹状の挟持構造と被挟持構造とが係合及び取り外し自在とすることで上記上下調整ボルトは、第１の接合具の天板固定面に取り付く辺部に着脱自在に取付け可能であることを特徴とする。
【０００７】
また、請求項２に記載の発明にあっては、請求項１に記載の天板の接合構造を技術的前提とし、前記第１の接合具の連結ボルト挿通部より下方に前記第１の接合具と前記第２の接合具の間隙を規制する滑らかな凸状の規制手段を設けるとともに、前記第３辺部の先端部に、一対の山型のガイド片と、該一対の山型のガイド片の間に被挟持部を設けたことを特徴とする。
【発明の効果】
【００１０】
それ故、請求項１に記載の天板の接合構造にあっては、一対の天板の接合端部裏面に固着された接合具が、両天板の高さ方向の位置調整機能と間隔調節機能を独立した２種類のボルトで行えるため、両天板の接合調整個所が少なくてすみ、また、上下調整ボルトで両天板の高さ調整を、連結ボルトで前後位置および間隔調整を行えるので、調整作業が行い易いと共に、上下調整ボルトは、第２の接合具の一片を挟み込んでいるため、天板の上下調整位置が狂いにくく、また挟持部の回転方向により上下の調整方向がきまるため調整しやすい。そして第１、第２の接合具を天板に固定した後において、上下調整ボルトの挟持部を、第２の接合具の第３辺部に挟みこめるように天板から離れた場所で上下調整できるので、組み付けのための上下調整ボルトの天板下でのねじ込み作業なしに天板同士の接合が可能となる。
【００１１】
また、請求項２に記載の天板の接合構造にあっては、規制手段の形状が滑らかであるため、抵抗が小さく前後調整などのずらし調整が容易であると共に、規制手段とガイド片により、第１の接合具と第２の接合具の取付が容易となる。
【図面の簡単な説明】
【００１４】
【図１】この発明の一実施形態となる天板接合具を示す斜視図である。
【図２】同天板接合具の第２の接合具の平面図である。
【図３】同第２の接合具の正面図である。
【図４】同第２の接合具の右側面図である。
【図５】同天板接合具の第１の接合具の平面図である。
【図６】同第１の接合具の正面図である。
【図７】同第１の接合具の右側面図である。
【図８】同天板接合具に用いられる上下調整ボルト挟持部の平面図である。
【図９】同上下調整ボルト挟持部の右側面図である。
【図１０】同上下調整ボルトの六角穴付き止めネジを示す平面図である。
【図１１】同六角穴付き止めネジの側面図である。
【図１２】同天板接合具の連結ボルト用ワッシャーの正面図である。
【図１３】同ワッシャーの側面図である。
【図１４】同連結ボルトの正面図である。
【図１５】同連結ボルトの側面図である。
【図１６】同上下調整ボルトの側面図である。
【発明を実施するための形態】
【００１５】
以下、図面を参照して、この発明の一実施形態例を詳細に説明する。
【００１６】
この発明の一実施形態例に係る天板の接合具は、図１に示すように、連結される天板のうちの一方の下面に取り付けられる第１の接合具１０と、他方の天板の下面に取り付けられる第２の接合具２０と、から構成されている。
【００１７】
そして、上記第１の接合具１０は、図５乃至図７に示すように、天板固定面に取付く辺部１１と、これに連続する垂直辺部１２を有して構成されていると共に、上記第１の接合具１０の垂直辺部１２の下端であって前記連結ボルト挿通部１３より下方に、前記第１の接合具１０と前記第２の接合部２０の間隙を規制する規制突起１４，１４が滑らかな凸状に打ち出し形成され、さらに、上記天板固定面に取り付く辺部１１には、上下調整ボルト３０の受ナット１５が溶接固定されている。尚、図中符号１６，１６，１６は天板固定用のビス孔である。
【００１８】
また、上記第２の接合具２０は、図２乃至図４に示すように、他方の天板の下面に取り付けられ該天板固定面に取付く第１辺部２１と、これと直行する垂直な第２辺部２２と、上記第１辺部２１に平行で上記第１辺部２１とは逆方向に延びる第３辺部２３と、該第３辺部２３の先端部に形成された山型のガイド辺部２５，２５と、該ガイド辺部２５，２５の間に形成された被挟持部２６と、を有して構成されている。尚、図中符号２７，２７，２７は天板固定用のビス孔である。
【００１９】
図８乃至図１１は、上下調整ボルト３０を構成する要素を示しており、ナット３１が溶接固定されてなるワッシャー３２と、該ワッシャー３２と前記被挟持部２６が嵌合可能な間隙を有して配設された座ワッシャー３３を有する挟持部３９と、上記ナット３１に螺合されるねじ部３４と、から構成され、該ねじ部３４の一端部には六角ねじ孔３５が形成されており、前記ねじ部３４に上記挟持部３９を螺装してから、前記ねじ部３４の他端部を前記第１の接合具１０のナット１５に螺合固定できる。次いで、第２接合具２０のガイド辺部２５，２５内の被挟持部２６を前記ワッシャー３２，３３間に位置させ、上記挟持部３９を回動させることで、天板の高さ方向の上下を調整する。
【００２０】
そして、接合する２枚の天板の高さ方向を水平に調整した後、上記第１及び第２接合具１０，２０の対向する垂直辺部１２及び第２辺部２２に開設されたボルト挿通孔１３，２４に、図１２乃至図１５に示すワッシャー３６とボルト３７からなる連結ボルト３８をボルト挿通孔２４側から挿通孔１３側に通して連結する。
【００２１】
上記連結ボルト３８で両接合具１０，２０を固定する場合、間隙規制手段１４，１４により、ボルトを締めた際に、前記第２編部２２が間隙規制手段１４，１４に当接後、接合具１０，２０の上端部間隙が減少し、連結ボルトを締めていった際の天板接合部間隙が逆に開いていってしまうことを抑制できる。
【００２２】
次に、前後方向への調整について説明する。前後調整は、前記ボルト挿通孔２４はボルトの軸径に対して大きいことから、前記連結ボルト３８を緩めた状態で両天板を相対的に移動させることで調整できる。このとき、前記第１の接合具１０と前記第２の接合具２０の間隙を規制する規制手段１４，１４が滑らかであるため、抵抗が軽減され調整を容易に行うことができる。
【００２３】
前記上下調整ボルト３０のねじ部３４の他端部を前記第１の接合具１０の受けナット１５に螺合固定が可能としたが、該上下調整ボルト３０のねじ部３４の他端部の外周を全周に渡り凹状の挟持構造とし、更に前記第１の接合具１０の天板固定面に取り付く辺部１１を凹状に切り欠き、且つ該凹状切欠き部とその周辺を下方に膨出させ被挟持構造とすることで、前記上下調整ボルト３０のねじ部３４の他端部の凹状の挟持部と、前記第１の接合具１０の天板固定面に取り付く辺部１１を凹状に切り欠いた被挟持部とが係合及び取外し自在とできるので、前記第１、第２の接合具１０，２０を天板に固定した後から、該上下調整ボルト３０の凹状挟持部を、前記第１の接合具１０の凹状切り欠き部に係合させられるという、同様の効果を発揮できる。
【００２４】
以上、この発明を適用した実施の形態について説明したが、この実施形態によるこの発明の開示の一部をなす記述及び図面によりこの発明は限定されることはない。すなわち、この実施形態に基づいて当業者等によりなされる他の実施の形態、実施例及び運用技術等は全てこの発明の範疇に含まれることは勿論である。
【符号の説明】
【００２５】
１０：第１の接合具
１１：天板固定面に取付く辺部
１２：垂直辺部
１３：連結ボルト挿通部
１４，１４：規制手段
１５：受ナット
２０：第２の接合具
２１：第１辺部
２２：第２辺部
２３：第３辺部
２６：被挟持部
３０：上下調整ボルト
３６：ボルト
【図１】
0005517601.tif 000002
【図２】
0005517601.tif 000003
【図３】
0005517601.tif 000004
【図４】
0005517601.tif 000005
【図５】
0005517601.tif 000006
【図６】
0005517601.tif 000007
【図７】
0005517601.tif 000008
【図８】
0005517601.tif 000009
【図９】
0005517601.tif 000010
【図１０】
0005517601.tif 000011
【図１１】
0005517601.tif 000012
【図１２】
0005517601.tif 000013
【図１３】
0005517601.tif 000014
【図１４】
0005517601.tif 000015
【図１５】
0005517601.tif 000016
【図１６】
0005517601.tif 000017